(57)【要約】【課題】常温積層型防水において、初期接着力の不足に起因する種々の問題を克服して、施工が容易でしかも施工効率が高く、水密性および耐久性に優れた信頼性の高い防水層の実現を目的としている。【解決手段】建造物の屋上その他の構造物等に形成される常温積層型防水構造であって、下地層とこの下地層上に積層形成される防水層とを具え、この防水層は、塗工された接着材層を具備した面ファスナーを介して積層された防水シートからなる常温積層型防水構造を提供して上記課題を解決する。【選択図】      図１
2010255336.tif 000002
【特許請求の範囲】
【請求項１】
建造物の屋上その他の構造物に形成される常温積層型防水構造であって、下地層とこの下地層上に積層形成される防水層とを具え、この防水層は、塗工された接着材層を具備して雄面と雌面とからなりこれら相互の押圧によって両者を貼り合わせることができる面ファスナーを介して積層することにより初期接着力が補強された防水シートからなることを特徴とする常温積層型防水構造。
【請求項２】
請求項１記載の常温積層型防水構造において、さらに、前記面ファスナーにおける接着材の塗工量を安定的に維持する規制手段を具えることを特徴とする常温積層型防水構造。
【請求項３】
請求項２記載の常温積層型防水構造において、前記面ファスナーの雄面又は雌面のいずれかが防水シートの１側面に固着され、防水層は対向する防水シートにおける面ファスナーの雄面と雌面とを接着材とともに貼り合わせたもので構成したことを特徴とする常温積層型防水構造。
【請求項４】
請求項２又は３記載の常温積層型防水構造において、前記接着材の塗工量を安定的に維持する規制手段は、防水シートの１側面に固着された前記面ファスナーの雄面又は雌面のいずれかにより構成したことを特徴とする常温積層型防水構造。
【請求項５】
請求項１ないし４いずれか記載の常温積層型防水構造において、１層以上の防水シートおよび／または断熱層を有することを特徴とする常温積層型防水構造。
【請求項６】
請求項１ないし５いずれか記載の常温積層型防水構造において、前記防水シートはアスファルトルーフィングで構成したことを特徴とする常温積層型防水構造。
【発明の詳細な説明】
【技術分野】
【０００１】
本願発明は、高い防水信頼性を具備する常温積層型防水構造に関するものである。
【背景技術】
【０００２】
建造物の防水工事においては、従来、アスファルト防水熱工法が信頼性の高い工法として盛んに採用されてきている。このアスファルト防水熱工法は、施工現場で溶解した高温のアスファルトを接着材として用いながら、アスファルトからなる防水シート、いわゆるアスファルトルーフィングを複数枚積層して防水層を形成する工法である。この工法の信頼性は非常に高いものがあり、特にシート接合部の水密信頼性が高く、現在でも防水工事の過半数を占めると言っても過言ではない。
【０００３】
しかしながら、このアスファルト防水熱工法は、アスファルトを溶融する際に、溶融アスファルトの煙や臭いが大量に発生し、周辺環境を汚染するという欠点があるため、住宅密集地や都市中心部では敬遠され、採用できる地域が狭まっているのが今日の実情である。
【０００４】
一方では、施工現場で溶融アスファルトをまったく使用せずにゴムやプラスチックのシートを接着材で貼っていくいわゆるシート防水が広く用いられているが、殆どの場合がシート1枚のみで防水層を形成する1層防水システムであるため、防水信頼性の点でアスファルト防水工法には遠く及ばない。
【０００５】
このため、溶融アスファルトに替えて、種々の接着材によりアスファルトルーフィングを貼り重ねる、いわゆる常温積層アスファルト防水工法が各種提案されている（特許文１，２）。しかしながら、上記従来技術では、構造物の立上がり面等、複雑な部位への施工性不良、即ち、接着材の初期接着不良によるアスファルトルーフィングのズレや下地の凹凸に対して、納まり不良となる場合があり、また、シートラップ部に施工に於けるシートの反りや口開き、即ち、ロール状に巻き取られたアスファルトルーフィングを貼り付け時において敷設した場合、巻芯付近には巻きぐせが生じるため、このままラップ施工を行うとズレ、反り及び口開きを生じやすいという不都合も生じて、施工効率の阻害要因となっている。
【０００６】
上記の不都合は、接着材が本来の接着力を発現するのに時間がかかるという点に由来している。このため、接着材を薄く塗工して硬化を促進させて初期接着力を確保しようとする施工例もみられるようになっている。しかしながら、このような施工例では、防水仕様とは乖離して接着材の使用量が十分でなくなり、防水仕様の目的とする本来の防水性能が発揮できていないのが実情である。
【０００７】
本願発明に関連して、以下の文献が存在する。
【特許文献１】特開平０５−１８０６４号公報
【特許文献２】特開平０５−１７９７７５号公報
【特許文献３】特開平１１−２３６７５２号公報
【発明の開示】
【発明が解決しようとする課題】
【０００８】
本願発明は、常温積層型防水において、初期接着力の不足に起因する種々の問題を克服して、施工が容易でしかも施工効率が高く、水密性および耐久性に優れた信頼性の高い防水層の実現を目的としている。
【課題を解決するための手段】
【０００９】
本願発明に係る常温積層型防水構造は、下地層とこの下地層上に積層形成される防水層とを具え、この防水層は、塗工された接着材層を具備して雄面と雌面とからなりこれら相互の押圧によって両者を貼り合わせることができる面ファスナーを介して積層することにより初期接着力が補強された防水シートから構成することにより、上記従来の課題を解決しようとするものである。
【００１０】
また、上記の常温積層型防水構造において、さらに、前記面ファスナーにおける接着材の塗工量を安定的に維持する規制手段を具えることを特徴とする。
【００１１】
さらに、上記いずれかの常温積層型防水構造において、前記面ファスナーの雄面又は雌面のいずれかが防水シートの１側面に固着され、防水層は対向する防水シートにおける面ファスナーの雄面と雌面とを接着材とともに貼り合わせたもので構成したことを特徴とする。
【００１２】
前記接着材の塗工量を安定的に維持する規制手段は、防水シートの１側面に固着された前記面ファスナーの雄面又は雌面のいずれかにより構成したことを特徴とする。
【００１３】
また、上記いずれか記載の常温積層型防水構造において、１層以上の防水シートおよび／または断熱層を有する構成となすことがある。
【００１４】
さらに、上記いずれか記載の常温積層型防水構造において、防水シートはアスファルトルーフィングで構成することがある。
【００１５】
本願発明はまた、建造物の屋上等の下地層に常温積層型防水層を形成する防水工法であって、塗工された接着材層を具備した面ファスナーを介して防水シートを積層し常温積層型防水層を下地層に形成するようにした防水工法を提供して、上記従来の課題を解決しようとするものである。
【００１６】
また、上記の防水工法において、前記面ファスナーは、雄面と雌面とからなりこれら相互の押圧によって両者を貼り合わせることができるファスナーで構成される。
【００１７】
さらに、段落００１５記載の防水工法において、防水シートは、下地層と防水シートの一面に形成された粘着材層を介して貼り合わせるように構成することがある。
【００１８】
またさらに、上記いずれか記載の防水工法において、接着材規制手段により面ファスナーにおける接着材の塗工量を安定的に塗布するようになすことがある。
【００１９】
段落００１５記載の防水工法において、前記接着材規制手段は防水シートに貼付され、雄面と雌面とからなりこれら相互の押圧によって両者を貼り合わせることができる面ファスナーの前記雄面又は雌面のいずれかで構成することがある。
【００２０】
上記いずれか記載の防水工法において、１層以上の防水シートおよび／または断熱層を有するように構成することがある。
【００２１】
さらに、上記いずれか記載の常温積層型防水構造において、防水シートはアスファルトルーフィングで構成することがある。
【発明の効果】
【００２２】
以上の構成により本願発明にあっては、初期接着力の不足に起因する種々の問題を克服して、施工が容易でしかも施工効率が高く、水密性および耐久性に優れた信頼性の高い常温積層型防水層を提供することができる。
【発明を実施するための最良の形態】
【００２３】
本発明において、防水層を構築できる下地層はなんら限定されることはなく、新しいコンクリート下地層上への防水層の形成、既存防水層の改修、室内の防水など種々のケースに施工することができる。例えば、既存または新築のコンクリートスラブ、既存のコンクリート押さえ防水層、砂つき仕上げ防水層や、断熱押さえ防水層の上にも本願発明に係る常温積層型防水層を形成することが可能である。また、防水層を形成するために積層される防水シートは、何ら限定されるものではなく、アスファルトルーフィング、改質アスファルトルーフィング、エチレン酢酸ビニル樹脂シート、塩化ビニル樹脂シート、熱可塑性エラストマーシート、加硫ゴムシート、非加硫ゴムシート、ウレタンシート、その他、各種の防水シートを使用することができる。
【００２４】
初期接着力の不足を解決するための面ファスナーとしては、ポリエステル・ポリアミド・ポリオレフィン系エラストマー・ポリ塩化ビニル、ポリウレタン、その他の可とう性熱可塑性樹脂などから選ばれた合成樹脂を成形して得られた成形面ファスナー、或いはポリエステル・ポリアミド・ポリオレフィン系エラストマー・ポリ塩化ビニル、ポリウレタン・再生セルロースなどから選ばれた合成繊維・再生繊維を主体とした繊維を製編織して得た面ファスナーである。ファスナー雄面の係合素子はキノコ状・やじり状、傘状、鏃状等の形状であり、ファスナー雌面の、例えばループ状の係合素子と係合しやすい。これらファスナー雄面の係合素子の高さは、通常0.5から6ミリメートル、好ましくは1.0から2.0ミリメートルが適当である。ファスナー雌面の面ファスナー1平方センチメートルあたりの係合素子の数は500から10000本、好ましくは1500から7000本であり、ファスナー雄面の面ファスナー1平方センチメートルあたりの係合素子の数は10から50本、好ましくは20から30本である。そして、ラッチ方向接着力は2ｋｇ/平方センチメートルであることが好ましい。
【００２５】
また、本願発明では、面ファスナーにおける接着材の塗工量を安定的に維持する規制手段を具えるが、より具体的には、面ファスナーを構成するファスナー雌面および／またはファスナー雄面を規制手段として採用して、ファスナー雌面および／またはファスナー雄面を接着材の塗工量の基準にして過不足を生じないように塗工する。
【００２６】
なお、面ファスナーに塗工する接着材は通常のウレタン樹脂、エポキシ樹脂、ポリサルフアイド、クロロプレンゴム、クロロスルホン化ポリエチレン、アクリルエマルジョン、スチレンブタジエンゴム、ポリ酢酸ビニル、ポリ塩化ビニル、ポリマーセメントモルタル、変性シリコーンポリマー等が用いられるが、耐候性よりポリマーセメントモルタル、変性シリコーンポリマーが好ましい。
【実施例】
【００２７】
図１は、本願発明に係る常温積層型防水構造の１実施例を示す一部切欠斜視図であり、図において、Ｂは屋上のコンクリート下地層Ｓに形成された常温積層型防水層である。この常温積層アスファルト防水層Ｂは、下地層Ｓの平場Ｓ１に形成された防水層１と下地層Ｓの立壁Ｓ２に形成された防水層２とからなっている。防水層１ならびに防水層２は、防水シートを貼り合わせて形成され、この実施例では防水シートとしてアスファルトル−フィングが用いられているが、これに限定されることなく塩ビシートその他の樹脂シートの使用が可能である。
【００２８】
前記防水層１は、平場下地Ｓ１に粘着材を介して貼付されたアスファルトルーフィング１aとこの上面に面ファスナーＫを介して積層固着されるアスファルトルーフィング１ｂとから構成されている。この実施例で、アスファルトルーフィング１aの１面には粘着材層が形成されている。
【００２９】
また、前記防水層２は、立壁Ｓ２に粘着材を介して貼付されたアスファルトルーフィング２aとこの上面に面ファスナーＫを介して積層固着されるアスファルトルーフィング２ｂとから構成されている。この実施例で、アスファルトルーフィング２aの１面には粘着材層が形成されている。
また、面ファスナーＫは、雄面と雌面とからなりこれら相互の押圧によって両者を貼り合わせることができるような周知の構成を有していて、この面ファスナーＫには、接着材が塗工されており、前記アスファルトルーフィング相互は面ファスナーＫによる機械的結合ならびに接着材の固化により貼り合わせて、当初から強固に結合されている。  
すなわち、接着材が初期接着力を有しない段階でも、面ファスナーにより結合が保持され、平場Ｓ１におけるアスファルトルーフィング１ｂにズレやめくれ等が生じないことはもちろん、立壁Ｓ２にあっても、アスファルトルーフィング２ｂがズレ動いたり、剥離したりすることは全くない。
【００３０】
図２は、図１に示すアスファルトルーフィング１a（１ｂ）とアスファルトルーフィング１ｂ（２ｂ）の拡大断面図である。アスファルトルーフィング１a（２a）の表面には、面ファスナーＫのファスナー雌面３が固着され、他方、アスファルトルーフィング１ｂ（２ｂ）の表面には、面ファスナーＫのファスナー雄面４が固着されている。なお、当然のことながら、アスファルトルーフィング１a（２a）の表面にはファスナー雄面４を固着し、他方、アスファルトルーフィング１ｂ（２ｂ）の表面にはファスナー雌面３を固着してもよい。
【００３１】
前記ファスナー雌面３は、シート状の基材３aとこれから起立したループ状の係合素子３ｂとからなっている。また、ファスナー雄面４はシート状の基材４aとこれから起立して凸部を先端に有する細枝体からなる係合素子４ｂとからなっている。そして、前記ファスナー雌面３とファスナー雄面４とにより面ファスナーＫが構成されている。
したがって、図２において、アスファルトルーフィング１a（１ｂ）とアスファルトルーフィング１ｂ（２ｂ）とを矢符のように押圧すればファスナー雌面３とファスナー雄面４とは互いに係合してアスファルトルーフィング１a（１ｂ）とアスファルトルーフィング１ｂ（２ｂ）とは固着される。
しかし、面ファスナーＫのみによる接合は、容易にはがすことが可能であるから、このような剥離が生じないように、面ファスナーＫには接着材を塗工する。
接着材の接着力が発揮されない初期段階では、面ファスナーＫの結合力によりアスファルトルーフィングはしっかりと固定され、接着材の接着力が発生するようになれば、当然、面ファスナーも簡単にはがれることはなくなる。
【００３２】
従来、アスファルトルーフィングを接着材により貼り合わせて積層する場合に、接着材の塗工量を安定的に保持できず、塗工した接着材の量が多すぎて硬化が遅れたり、あるいは接着材の量が少なすぎてアスファルトルーフィングの固着が設計仕様どおりに実現できない不都合が見られた。この不都合を克服するために、本願発明では、接着材の塗工量を安定的に維持する規制手段が設けられている。この規制手段を図３に基づいて説明する。
【００３３】
図３に示す実施例では、規制手段は、雄面と雌面とからなりこれら相互の押圧によって両者を貼り合わせることができる面ファスナーで構成されており、具体的にはアスファルトルーフィングの１側面に固着された前記面ファスナーの雄面又は雌面のいずれかにより構成されている。
すなわち、図３（a）において、図１に示すアスファルトルーフィング１a（２a）の１側面には、図２において説明したファスナー雌面３が固着されていて、このファスナー雌面３がアスファルトルーフィング１a（２a）に接着材を塗工するに際して、安定的に維持する規制手段を構成している。すなわち、５はファスナー雌面３に塗工された接着材を示しており、接着材５はファスナー雌面３の頂部すなわち、前述の係合素子３ｂの頂部を基準にして、その頂部まで過不足なく塗工されている。係合素子３ｂのような基準があるために、接着材は仕様どおり過不足なく塗工できる。
【００３４】
図３（a）と同様に、図３（ｂ）において、図１に示すアスファルトルーフィング１ｂ（２ｂ）の１側面には、図２において説明したファスナー雌面３が固着されていて、このファスナー雄面４がアスファルトルーフィング１ｂ（２ｂ）に接着材を塗工するに際して、安定的に維持する規制手段を構成している。
すなわち、図３（ｂ）において、図１に示すアスファルトルーフィング１ｂ（２ｂ）の１側面には、図２において説明したファスナー雄面４が固着されていて、このファスナー雄面４がアスファルトルーフィング１ｂ（２ｂ）に接着材を塗工するに際して、安定的に維持する規制手段を構成している。すなわち、５はファスナー雄面４に塗工された接着材を示しており、接着材５はファスナー雄面４の頂部近くすなわち、前述の係合素子４ｂの頂部近傍を基準にして、その頂部近傍まで過不足なく塗工されている。係合素子４ｂのような基準があるために、接着材は仕様どおり過不足なく塗工できる。
【００３５】
図３において、該実施例に係る規制手段は面ファスナーの雄面又は雌面のいずれかにより構成されていることを説明したが、この実施例では、規制手段を構成する面ファスナー（雄面又は雌面）は、図２において説明した面ファスナーＫと共通のものを使用している。
【００３６】
図４は、本願発明の常温積層型防水構造に係る防水シートとしてのアスファルトルーフィングの実施例を示す断面図である。図４（a）は、図１におけるアスファルトルーフィング１a又は２aの一部切欠断面図である。ここに示すアスファルトルーフィングは下地層に、直接貼付するもので、表面には前述した面ファスナーＫのファスナー雄面４又はファスナー雌面３が全面に固着されており、一方裏面には粘着材層６が全面に張設されている。
また、図４（ｂ）において、７は、図４（a）に示す上記アスファルトルーフィング１a又は２a上に、３層以上、多段にわたり重畳貼付される際に使用するアスファルトルーフィング（中間積層用）を示しており、その表裏両面には、図２等で前述した面ファスナーＫのファスナー雌面３またはファスナー雄面４が全面に固着されて（表面にファスナー雌面３の場合は、裏面にファスナー雄面４が固着される）いて、これらのファスナー雌面３またはファスナー雄面４それぞれは、図４（a）に示すアスファルトルーフィング１a又は２aに全面に固着されたファスナー雄面４又はファスナー雌面３に係合するように貼り合わされ、接着材も塗布される。
【００３７】
このようにして、図４（a）に示すアスファルトルーフィング１a(２a)をベースにして、図４（ｂ）に示すアスファルトルーフィング７を積層して、２層、３層、４層等のアスファルトルーフィングによる所望のアスファルト防水層を構成することができる。なお、図４（ｃ）に示すアスファルトルーフィング８は、積層したアスファルトルーフィングの最上層用として使用される。すなわち、アスファルトルーフィング８は裏面に、図２等で前述した面ファスナーＫのファスナー雌面３またはファスナー雄面４が全面に固着されているのみで、表面は、必要に応じて鉱物砂等の表面処理材が撒布されることもある。
なお、図示しないが、図１において、平場下地Ｓ１とアスファルトルーフィング１aとの間には断熱材を介装することがある。
【００３８】
次に、図５ないし７にしたがって、本願発明のアスファルト防水工法に係る１実施例を説明する。図５において、まず、下地層Ｓの平場Ｓ１に、前述の図４（a）に示したアスファルトルーフィング１aを固着する。すなわち、アスファルトルーフィング１aの表面には前述した面ファスナーＫのファスナー雄面４又はファスナー雌面３が全面に固着されており、一方裏面には粘着材層６が全面に張設されている。粘着材層６を介してアスファルトルーフィング１aが平場Ｓ１に貼付される。同様にして、立壁Ｓ２に、図４（a）に示すアスファルトルーフィング２aが粘着材層６を介して貼付される。
【００３９】
次いで、図６に示すように、図５の平場Ｓ１のアスファルトルーフィング１a表面に、図４（ｂ）に示すような、表裏両面に図２等で前述した面ファスナーＫのファスナー雌面３またはファスナー雄面４が全面に固着された（表面にファスナー雌面３の場合は、裏面にファスナー雄面４が固着される）アスファルトルーフィング７を貼付する。すなわち、アスファルトルーフィング７の裏面のファスナー雌面又は雄面と前記アスファルトルーフィング１a表面とを結合させて積層する。その際、それぞれのアスファルトルーフィングのファスナー雌面又は雄面には接着材を塗工するが、塗工作業は図３に関して記述した段落００３３ないし段落００３４の内容どおりとなる。なお、図６では、２段積層の状態が示されているが、同様に前記アスファルトルーフィング７を多段に積層することがある。
【００４０】
図６において、アスファルト防水層をアスファルトルーフィング２層とする場合は、上記のアスファルトルーフィング７に替えて、図４（ｃ）に示すような裏面にファスナー雌面３又は雄面４を有するアスファルトルーフィング８を最上層として積層する。図６において、さらにアスファルトルーフィングを積層するには、図７に示すように、前記と同様に、最上層には、図４（ｃ）に示すような裏面にファスナー雌面３又は雄面４を有するアスファルトルーフィングを使用する。
【００４１】
さらに、図６に示す常温積層型防水構造に関して、防水層の性能試験１，２を行い、以下のような結果を得た。
【００４２】
試験１：防水層のズレおよび剥離と面ファスナーの上側の噛合子との関連
条件：
施工温度  20±1℃
施工湿度  60±3%
接着材  田島ルーフィング株式会社  三星クールベース
施工後から観察までの時間  1時間
結果を次の表１に示す。
【表１】
2010255336.tif 000003
【００４３】
試験２：防水層における防水シート接合部に対して水圧を掛け、防水性能を確認し、また、その時の接着充填材量（ｋｇ/平方メートル）についても計測した
条件：
施工温度  20±1℃
施工湿度  60±3%
接着材  田島ルーフィング株式会社  三星クールベース
施工後から試験までの時間  168時間
水圧＝15.2kPa
結果を次の表２に示す。
【表２】
2010255336.tif 000004
【００４４】
上述のように、本願にかかる防水層は、塗工された接着材層を具備した面ファスナーを介して防水シートを積層し常温積層型防水層を下地層に形成するが、図２に示すように面ファスナーＫは、雄面と雌面とからなりこれら相互の押圧によって両者を貼り合わせることができる周知の構成を有している。  
また、接着材規制手段により面ファスナーにおける接着材の塗工量を安定的に塗布するようになされるが、この接着材規制手段は、図２、図３において説明した規制手段と同様の構成、作用を有するものであり、この実施例では、規制手段は、面ファスナー、より具体的には防水シート（アスファルトルーフィング）の表面あるいは裏面に貼付されたファスナー雄面または雌面により構成されている。なお、最下段の防水シートと下地との間に断熱材を介在させることがある。
【図面の簡単な説明】
【００４５】
【図１】本願発明に係る常温積層アスファルト防水構造の１実施例を示す一部切欠斜視図である。
【図２】図１に示すアスファルトルーフィング１a（１ｂ）とアスファルトルーフィング１ｂ（２ｂ）の拡大断面図である。
【図３】接着材の塗工量を安定的に維持する規制手段の構成作用を示す説明図である。
【図４】本願発明の常温積層型防水構造に係る防水シートとしてのアスファルトルーフィングの実施例を示す断面図である。
【図５】下地層Ｓの平場Ｓ１に、前述の図４（a）に示したアスファルトルーフィング１aの固着工程を示す断面図である。
【図６】アスファルトルーフィングを２層にまで積層した状態を示す断面図である。
【図７】アスファルトルーフィングを３層にまで積層した状態を示す一部切欠斜視図である。
【符号の説明】
【００４６】
Ｓ．．．．．下地層
Ｋ．．．．．面ファスナー
１．．．．．防水層（平場）
２．．．．．防水層（立壁）
３．．．．．ファスナー雌面
４．．．．．ファスナー雄面
５.．．．．．接着材
６．．．．．粘着材層
７．．．．．アスファルトルーフィング（中間積層用）
８．．．．．アスファルトルーフィング（最上層用）
Ｂ．．．．．常温積層アスファルト防水層
【図１】
2010255336.tif 000005
【図２】
2010255336.tif 000006
【図３】
2010255336.tif 000007
【図４】
2010255336.tif 000008
【図５】
2010255336.tif 000009
【図６】
2010255336.tif 000010
【図７】
2010255336.tif 000011